(57)【要約】【課題】印刷シートを外部から見えるように収納し、印刷シートを取替えながら好みのデザインが楽しめて壁パネルにもなる手提げバッグを提供する。【解決手段】透明シート２を底辺で折り返して重ね合わせ、２枚の透明シート２を両側辺で透明シート固定ビス４により固定して板状にした印刷シート収納板３と、２組の印刷シート収納板３の内側に取り付けられて収納袋を形成するマチ袋５と、手提げ用紐８が通される紐取付け用孔６と、一方の印刷シート収納板３の上部において外側に固着され、他方の印刷シート収納板３の上部の外側に取付けられた面ファスナー布１０と着脱可能に結合する面ファスナー部を有するバッグ開閉ベルト７と、紐取付け用孔６に通される手提げ用紐８と、を備え、透明シート２ａ，２ｂの間隙には、印刷シート９が上部から取替え自在に挿入される。【選択図】図１
2011030989.tif 000002
【特許請求の範囲】
【請求項１】
長方形の透明シートを底辺で折り返して重ね合わせ、重ね合わされた２枚の透明シートを両側辺で透明シート固定ビスにより固定して板状にした印刷シート収納板と、
並べられた２組の印刷シート収納板のそれぞれの内側に取り付けられ、２組の印刷シート収納板と共に収納袋を形成し、蛇腹状の両側部及び底部を有するマチ袋と、
印刷シート収納板の上部に取付けられ、手提げ用の紐が通される紐取付け用孔と、
一方の印刷シート収納板の上部において外側に固着され、他方の印刷シート収納板の上部の外側に取付けられた面ファスナー布と着脱可能に結合する面ファスナー部を有するバッグ開閉ベルトと、
印刷シート収納板の紐取付け用孔に通される手提げ用紐と、を備え、
印刷シート収納板の重ね合わせられた透明シートの間隙には、印刷されたシートが上部から取替え自在に挿入されることを特徴とする手提げバッグ。
【請求項２】
請求項１に記載の手提げバッグであって、２組の印刷シート収納板の両側辺の内部側の透明シートに取付けられ、印刷シート収納板を相互に引き付けて固定し、２組の印刷シート収納板をそれぞれ略平坦な面にする収納板固定ビスを備えることを特徴とする手提げバッグ。
【請求項３】
請求項１又は２に記載の手提げバッグであって、バッグ開閉ベルトに設けられた面ファスナー部又は面ファスナー布を壁に取付けられた面ファスナー布に着脱可能に結合させ、手提げバックを壁掛けパネルとすることを特徴とする手提げバッグ。
【請求項４】
請求項１乃至３のいずれか１に記載の手提げバッグであって、印刷シート収納板は、折り返された一方の透明シートと他方の透明シートとが重なる重複部と、一方の透明シートのみが延長される延長部とを有し、紐取付け用孔は延長部に設けられ、印刷シートは重複部と延長部の境界において２枚の透明シートの間隙に挿入されることを特徴とする手提げバッグ。
【請求項５】
請求項１乃至４のいずれか１に記載の手提げバッグであって、マチ袋の蛇腹状の両側部及び底部は、収納板固定ビスを外すことで略平板状となり、底部には補強板が嵌め込められることを特徴とする手提げバッグ。
【請求項６】
請求項１乃至５のいずれか１に記載の手提げバッグであって、印刷シート収納板の紐取付け用孔の内側の周辺には、透明シートを補強する取付け孔補強シートが固着され、取付け孔補強シートの下部は透明シートの重複部を内側から押さえ込むことを特徴とする手提げバッグ。
【発明の詳細な説明】
【技術分野】
【０００１】  本発明は、手提げバッグに係り、特に、収納袋に手提げ用の紐や布が取付けられた手提げバッグに関する。
【背景技術】
【０００２】  手提げバッグは、一般的に紙製又はプラスティック製の収納袋に手提げ用の紐や布が取付けられる。この手提げバッグには、紙製の収納袋の表面にデザインを施しているものがある。手提げバッグの使用者は、好みのデザインが施された紙製の手提げバッグを選択して使用する。【０００３】  この手提げバッグに透明なプラスティック製の収納袋を使用し、手提げバッグの面に装飾模様を取り付ける場合がある。例えば、特許文献１には、バッグ等に使用する装飾模様付きシートが開示されている。ここでは、透明なシート本体の表面に装飾模様の背面図を印刷してから、その背面図の上に装飾模様の正面図を重ねて印刷したバッグが示されている。【０００４】  また、手提げバッグの使用者は、透明なプラスティック製の収納袋により内部の荷物が外部から見ることができる手提げバッグを選択して使用する場合もある。例えば、特許文献２には、衣類等セットの収納箱が開示されている。ここでは、透明なプラスティックからなる手提げ用バッグに和装セットなどの衣類等のセットを箱詰めして販売する際に、衣類セットを取り出したりすることなくその内訳を目で見て即座に知ることができる収納箱が示されている。
【先行技術文献】
【特許文献】
【０００５】
【特許文献１】特開平１０−８５０２４号公報
【特許文献２】実用新案登録第０７７０２７号公報
【発明の概要】
【発明が解決しようとする課題】
【０００６】  従来の手提げバッグは、紙製の収納袋の表面にデザインを施しているため、バッグの使用者がデザインを取り替えることができず、他の好みのデザインの手提げバッグを購入するしかかないという問題がある。【０００７】  また、透明なプラスティック製の収納袋の場合には、その表面に好みのデザインを施すこと、或いはそのデザインを取り替えて楽しむことができないという問題がある。【０００８】  本願の目的は、かかる課題を解決し、印刷シートを外部から見えるように収納し、印刷シートを取替えながら好みのデザインが楽しめて壁パネルにもなる手提げバッグを提供することである。
【課題を解決するための手段】
【０００９】  上記目的を達成するため、本発明に係る手提げバッグは、長方形の透明シートを底辺で折り返して重ね合わせ、重ね合わされた２枚の透明シートを両側辺で透明シート固定ビスにより固定して板状にした印刷シート収納板と、並べられた２組の印刷シート収納板のそれぞれの内側に取り付けられ、２組の印刷シート収納板と共に収納袋を形成し、蛇腹状の両側部及び底部を有するマチ袋と、印刷シート収納板の上部に取付けられ、手提げ用の紐が通される紐取付け用孔と、一方の印刷シート収納板の上部において外側に固着され、他方の印刷シート収納板の上部の外側に取付けられた面ファスナー布と着脱可能に結合する面ファスナー部を有するバッグ開閉ベルトと、印刷シート収納板の紐取付け用孔に通される手提げ用紐と、を備え、印刷シート収納板の重ね合わせられた透明シートの間隙には、印刷されたシートが上部から取替え自在に挿入されることを特徴とする。【００１０】  上記構成により、手提げバッグは、２組の印刷シート収納板の重ね合わせられた透明シートの間隙に好みの印刷シートを差し込むことができ、手提げバッグの外面を印刷シートにより好みのデザインにすることができる。例えば、結婚式の引出物を収納する手提げバッグに結婚式の出席者の集合写真や花嫁及び花婿の記念写真などを印刷シートとして差し込み、結婚式の出席者に記念品として持ち帰らせることができる。【００１１】  また、手提げバッグは、２組の印刷シート収納板の両側辺の内部側の透明シートに取付けられ、印刷シート収納板を相互に引き付けて固定し、２組の印刷シート収納板をそれぞれ略平坦な面にする収納板固定ビスを備えることが好ましい。これにより、手提げバッグをパネル状にすることができる。【００１２】  また、手提げバッグは、バッグ開閉ベルトに設けられた面ファスナー部又は面ファスナー布を壁に取付けられた面ファスナー布に着脱可能に結合させ、手提げバックを壁掛けパネルとすることが好ましい。これにより、外出の際には手提げバッグとして使用し、室内においては壁掛けパネルとして使用して手提げバッグの印刷シートを楽しむことができる。【００１３】  また、手提げバッグは、印刷シート収納板が、折り返された一方の透明シートと他方の透明シートとが重なる重複部と、一方の透明シートのみが延長される延長部とを有し、紐取付け用孔は延長部に設けられ、印刷シートは重複部と延長部の境界において２枚の透明シートの間隙に挿入されることが好ましい。これにより、手提げ用の紐を紐取付け用孔から外すことなく印刷シートを透明シートの延長部と重複部との隙間から差し込むことができる。【００１４】  また、手提げバッグは、マチ袋の蛇腹状の両側部及び底部が、収納板固定ビスを外すことで略平板状となり、底部には補強板が嵌め込められることが好ましい。これにより、手提げバッグに荷物を収納する際に荷物の幅に合わせて手提げバッグの幅を調節することができる。【００１５】  さらに、手提げバッグは、印刷シート収納板の紐取付け用孔の内側の周辺には、透明シートを補強する取付け孔補強シートが固着され、取付け孔補強シートの下部は透明シートの重複部を内側から押さえ込むことが好ましい。これにより、透明シートの重複部に収���された印刷シートが取付け孔補強シートにより上部に蓋がされた状態となり、印刷シートが傾いたり膨らんだりするのを抑えることができる。
【発明の効果】
【００１６】  以上のように、本発明に係る手提げバッグによれば、印刷シートを外部から見えるように収納し、印刷シートを取替えながら好みのデザインが楽しめて壁パネルにもなる手提げバッグを提供することができる。
【図面の簡単な説明】
【００１７】
【図１】本発明に係る手提げバッグの１つの実施形態の概略構成を示す透視図である。
【図２】図１の手提げバッグの正面図である。
【図３】図１の手提げバッグの側面図である。
【図４】手提げバッグを壁掛けパネルとして使用した場合を示す正面図である。
【発明を実施するための形態】
【００１８】  以下に、図面を用いて本発明に係る手提げバッグの実施形態につき、詳細に説明する。
【００１９】  図１に、本発明に係る手提げバッグの１つの実施形態の概略構成を透視図で示す。また、図２に、図１の手提げバッグの正面図を示す。本手提げバッグ１は、２組の印刷シート収納板３、透明シート固定ビス４、マチ袋５、紐取付け用孔６、バッグ開閉ベルト７、手提げ用紐８、面ファスナー布１０、及び差込板固定ビス１１から構成される。そして、手提げバッグ１の各組の印刷シート収納板３の重ね合わせられた透明シート２の間隙には、印刷シート９が上部から取替え自在に挿入される。この印刷シート９は、例えば、結婚式の出席者の集合写真や花嫁及び花婿の記念写真を拡大したシート、ライブコンサートの演奏者の写真を拡大したシート、或いは、テレビタレントやミュージシャンのポスターなどである。なお、図１の斜視図では、透明シート２が透明であることから本来透明シート２により見えない線も実線で記載する。
【００２０】  図３に、図１の手提げバッグ１の側面図を示す。印刷シート収納板３は、長方形の透明シート２を底辺で折り返して重ね合わせたものである。この印刷シート収納板３は、折り返された一方の透明シート２ａと他方の透明シート２ｂとが重なる重複部１２と、一方の透明シート２ａのみが延長される延長部１３とを有する。
【００２１】  透明シート固定ビス４は、図１に示すように、重ね合わされた２枚の透明シート２ａ，２ｂを両側面の４箇所で固定する。これにより、板状の印刷シート収納板３が形成される。本実施形態では、この透明シート固定ビス４は、透明な樹脂製のボルトとナットから構成され、ボルトのねじ部とネジが切られたナットを係合することで重ね合わされた２枚の透明シート２ａ，２ｂを固定する。また、本実施形態では、この透明シート２の素材はポリプロピレンからなるが、一般的なプラスティックであって透明な素材であればこれに限らない。また、新たな透明素材に置き換えられる場合もある。
【００２２】  マチ袋５は、並べられた２枚の印刷シート収納板３のそれぞれの内側に取り付けられ、２枚の印刷シート収納板３とともに荷物を収納する収納袋を形成する。このマチ袋５は、マチ袋底部１５、及び手提げバッグ１の両側のマチ袋側部１４から構成される。そして、マチ袋５は、マチ袋底部１５及びマチ袋側部１４が蛇腹状になっており、荷物により手提げバッグ１の幅が調整できるようになっている。
【００２３】  紐取付け用孔６は、印刷シート収納板３の延長部１３に取付けられて手提げ用紐８が通される。この紐取付け用孔６は、透明シート２ａの延長部１３、及び延長部１３に固着された取付け孔補強シート１６を貫通して明けられ、リングにより開口補強される。手提げ用紐８は、２組の印刷シート収納板３のそれぞれの内側に結び目が設けられ、２組の印刷シート収納板３のそれぞれの外側に手に持つ部分が形成される。
【００２４】  バッグ開閉ベルト７は、手提げバッグ１の上部を閉じたり、開けたりするためのベルトである。このバッグ開閉ベルト７は、印刷シート収納板３の透明シート２ａの延長部１３に固着され、他方の印刷シート収納板３の透明シート２ａの延長部１３に取付けられた面ファスナー布１０と着脱可能に結合する面ファスナー部１７を有する。一般的に面ファスナーは、フック状に起毛されたフックとループ状に密集して起毛されたループとを押し付けて張り付かせる機構であるが、ファスナー布１０と面ファスナー部１７は、いずれがフックであってもループであっても良い。
【００２５】  差込板固定ビス１１は、２組の印刷シート収納板３の両側辺において内部に取付けられ、印刷シート収納板３を相互に引き付けて固定する。これにより、２枚の印刷シート収納板３はそれぞれ略平坦な面となる。すなわち、２組の印刷シート収納板３は、蛇腹状のマチ袋５を拡げることで荷物を収納することができる。一方、蛇腹状のマチ袋５を閉じて差込板固定ビス１１により２組の印刷シート収納板３を相互に引き付けて固定することで、手提げバッグ１を、荷物を収納しないパネルとすることができる。この差込板固定ビス１１は、雄部を有する一方の接続具と雌部を有する他方の接続部を嵌合することで印刷シート収納板３を相互に引き付けて着脱可能に固定する。本実施形態では、この差込板固定ビス１１は手提げバッグ１の下方の両端に２個設けるが、その個数及び取り付け位置はこれに限らない。
【００２６】  このように、手提げバッグ１は、差込板固定ビス１１により２枚の印刷シート収納板３をそれぞれ略平坦な面とすることができる。これにより、バッグ開閉ベルト７に設けられた面ファスナー部１７を壁に取付けられた面ファスナー布１９に着脱可能に結合させ、手提げバック１を壁掛けパネルとして保管することが可能となる。
【００２７】  図４に、壁面１８に取付けられた状態の手提げバッグ１を示す。図４（ａ）は、壁面に取付けられた状態の手提げバッグ１の平面図であり、図４（ｂ）は、図４（ａ）のＢ−Ｂ断面である。バッグ開閉ベルト７は、面ファスナー布１０が取り付いた部分を上方に伸ばし、壁面１８に取付けられた面ファスナー布１９に着脱可能に結合させる。或いは、面ファスナー部１７が取り付いた部分を壁面１８に取付けられた面ファスナー布１９に着脱可能に結合させる。この場合、手提げ用紐８は、壁面１８と手提げバッグ１との間、或いは手提げバッグ１の中に収納することができる。また、手提げ用紐８を手提げバッグ１から外しておいても良い。
【００２８】  マチ袋５の蛇腹状のマチ袋側部１４及びマチ袋底部１５は、差込板固定ビス１１を外すことで幅が拡大する。これにより、手提げバッグ１は、幅の厚い荷物を収納できる。また、マチ袋底部１５には補強板が嵌め込められてマチ袋底部１５が補強される。
【００２９】  印刷シート収納板３の紐取付け用孔６の内側の周辺には、透明シート２を補強する取付け孔補強シート１６が固着され、取付け孔補強シート１６の下部は透明シート重複部１２の透明シート２ｂを内側から押さえ込む。これにより、透明シート重複部１２に収納された印刷シート９が取付け孔補強シート１６により上部に蓋がされた状態となり、印刷シート９が傾いたり膨らんだりするのを抑えることができる。
【符号の説明】
【００３０】  １  手提げバッグ、２ａ，２ｂ  透明シート、３  印刷シート収納板、４  透明シート固定ビス、５  マチ袋、６  紐取付け用孔、７  バッグ開閉ベルト、８  手提げ用紐、９  印刷シート、１０，１９  面ファスナー布、１１  差込板固定ビス、１２  透明シート重複部、１３  透明シート延長部、１４  マチ袋側部、１５  マチ袋底部、１６  取付け孔補強シート、１７  面ファスナー部、１８  壁面。
【図１】
2011030989.tif 000003
【図２】
2011030989.tif 000004
【図３】
2011030989.tif 000005
【図４】
2011030989.tif 000006